(57)【要約】【課題】家屋の外から内へ熱が伝導のみならず輻射によって進入するのを効果的に阻止できる住宅用断熱部材を提供する。  【解決手段】比較的軽量で透湿性と通気性を有する材料の直方体状の中空スリーブの一外面、もしくは並列連結した複数個の角筒状スリーブの同じ側の連続外面に金属箔を貼着するなどして熱線反射面を形成するとともに、該スリーブの両側面から外方に張り出す支持側縁を設け，熱線反射面をなす金属箔には多数の透湿孔を穿設する。この部材は隣り合う垂木の間に上から落とし込んで、両支持側縁で垂木間に保持させる。【選択図】図１
0003117730.tif 000002
【実用新案登録請求の範囲】
【請求項１】
直方体状の中空スリーブの一外面に熱線反射面を形成するとともに、該スリーブの両側面から外方に張り出す支持側縁を設けてなる住宅用断熱部材。
【請求項２】
複数個の角筒状スリーブを並列連結し、各スリーブの同じ側の外面に熱線反射面を形成するとともに、両側のスリーブの外側面から外方に張り出す支持側縁を設けてなる住宅用断熱部材。
【請求項３】
スリーブに補強板を内設した請求項１または２に記載の住宅用断熱部材。
【請求項４】
直方体状中空スリーブの外面または角筒状スリーブの同一側外面に一枚の支持板を固設してこの支持板の外面に熱線反射面を形成した請求項１から３のいずれか１項に記載の住宅用断熱部材。
【請求項５】
スリーブ及び支持板を、比較的軽量で透湿性と通気性を有する材料で形成した請求項１から４のいずれか１項に記載の住宅用断熱部材。
【請求項６】
熱線反射面が金属箔、蒸着金属膜または金属粉を含む塗料膜からなり、これらの箔または膜に多数の透湿孔を穿設した請求項１から５のいずれか１項に記載の住宅用断熱部材。
【請求項７】
透湿孔と連通する透湿孔をスリ−ブまたは熱線反射面支持板に穿設した請求項６に記載の住宅用断熱部材。
【考案の詳細な説明】
【技術分野】
【０００１】
本考案は住宅用断熱部材、特に木造住宅において、日射などに起因する熱が、特に屋根から輻射によって室内に進入するのを防止する断熱部材に関するものである。
【背景技術】
【０００２】
家屋の屋根や外側壁など（以下外壁）と内壁との間に断熱材を配置する場合、遮熱や結露防止のために断熱材と外壁との間に通気層を設けるのが普通である。このような通気層を設ける部材が特開２００１ー２２７０８０に開示されている。このものは、両端部を 2カ所で折り返してばね性を与えた山状部を有する通気層確保部材であって、この確保部材を野地板の下側で垂木の間に嵌め込み、折り返しのばね性によって保持するとともに、保持部材の下側に断熱材を配置して、野地板と断熱材の間に通気路を確保するものである。
【考案の開示】
【考案が解決しようとする課題】
【０００３】
家屋の外部から室内への熱の伝搬は主として輻射と伝導によって行われる。日射によって熱せられた外壁の熱は、外壁材と内壁材の間の空間を輻射によって、また、両材間の直接接触により、又は他の部材を介して、伝導によって移動する。上記従来技術では、外内壁間に空間を確保して通気することによって、伝導による熱の移動を阻止するものであるが、輻射による熱の伝搬は十分に阻止できないという問題があった。また通気層確保部材を野地板の裏側に取り付ける場合は、作業者が下から上を向いて作業をする必要があるので、疲れやすく、作業能率も悪いという問題もあった。本考案はこのような問題を解決するべく、提案されたものである。
【課題を解決するための手段】
【０００４】
上記問題を解決するために、本考案によれば、直方体状の中空スリーブの一外面に熱線反射面を形成するとともに、該スリーブの両側面から外方に張り出す支持側縁を設ける。本考案によれば、また、複数個の直方体状又は角筒状スリーブを並列連結し、各スリーブの同じ側の外面に熱線反射面を形成するとともに、両側のスリーブの外側面から外方に張り出す支持側縁を設ける。さらに、本考案によれば、直方体状の中空スリーブに強度を持たせるために１個乃至複数個の補強板を内設することもできる。直方体状中空スリーブの外面または直方体状もしくは角筒状スリーブの同一側外面に一枚の支持板を固設して、この支持板の外面に熱線反射面を形成することもできる。この熱線反射面支持板は平板に限らず、他の形状例えば波板状でもよい。上記スリーブ、補強板、熱線反射面支持板は比較的軽量で透湿性と通気性を有する材料、例えば、段ボール、厚紙、木質繊維板、樹脂繊維板から作られる。熱線反射面は、アルミ箔のような金属箔の貼り付け、金属の蒸着、金属粉を含む塗料の塗布などによって形成することができる。金属箔、蒸着金属膜、塗料膜には通湿孔として多数の小孔を設けることができる。これらの通湿孔と連通する通湿孔をスリ−ブおよび熱線反射面支持板に設けてもよい。
【考案の効果】
【０００５】
以上のように構成された本考案によれば、屋外からの熱は、スリーブ内の空間の介在により伝導によって屋内へ進入するのを阻止されるとともに、その大部分は熱線反射面によって反射され、スリーブ内空間を輻射によって通過侵入することをも阻止される。また、野地板が放散する湿気は、熱線反射面に開けられた透湿孔を通過してスリーブ材に吸収され、また，室内からの湿気もスリ−ブ材に吸収され、それぞれがスリ−ブ内の貫通路に放出され、通気によって屋外に排出することができる。したがって、建物内部構造材の結露、劣化、腐朽の防止に効果がある。その取り付け施工も、屋根の場合には、垂木の間に上から落とし込むだけでよく、作業が容易で能率が上がり施工時間を短縮することができ、足場、固定金具、受け材なども不要でコストを削減できる。
【考案を実施するための最良の形態】
【０００６】
図において、１は直方体状の中空スリ−ブ状部材（以下スリ−ブと言う）で貫通通気路を有する。２はスリ−ブ１の一面に貼り付けた長方形の平板からなる熱線反射面支持板（以下支持板と言う）で、これらの部材は、比較的軽量で，透湿性と通気性を有する材質、例えば段ボ−ルで作る。他の材料としては、厚紙、木質繊維板、樹脂繊維板などがある。支持板２の両側縁はスリ−ブ１の側面から張り出す支持側縁３、４を構成する。５は支持板２の上面に貼設したアルミ箔などの金属箔、蒸着された金属膜、又は金属粉を含む塗料膜で、その表面が熱線反射面を形成する。６は金属箔、蒸着金属膜、または塗料膜５に設けた多数の透湿孔である。
【０００７】
図４、５は他の実施例を示す。図１〜３におけると同一の数字は対応する部材を示す。図４では、スリーブ１の貫通通気路に補強板７を内設する。補強板７はスリーブの貫通通気路の全長に延長内設してもよいし、複数個を適当な位置に点在設置してもよい。図５では、スリーブ１に比して幅の狭い３個の角筒状ス−ブ２１、２２、２３が使用される。個数は３個に限られない。
【０００８】
図示実施例において、支持板２を設けないで，熱線反射面５を直接スリ−ブ１、または、２１、２２、２３の上面に設けてもよいが，この場合スリ−ブ１の両側面，または、両側のスリ−ブ２１、２３の外側面の上端に支持側縁３、４に対応する支持側縁（図示省略）を付設する。
【０００９】
支持板２、スリ−ブ１、２１〜２３に、熱線反射面の透湿孔６に連通する孔（図示省略）を設けることもできる。支持板２は平板に限らず、他の形状、例えば波板状のものを用いてもよい。波の方向は、問わない。
【００１０】
透湿防水紙を使用し、野地板上部より湿気を排出できる場合、または垂木の上に胴縁を取り付け野地板下部より湿気を排出できる場合は、透湿孔６を省略できる。
【００１１】
スリ−ブ１、支持板２、支持側縁３、４の寸法、金属箔、蒸着金属膜、または塗料膜５の厚み、透湿孔６の大きさ、数などは、施工条件に応じて適宜選定する。なお、図において、これらの寸法、厚みは、実寸の縮尺ではない。
【００１２】
図６、７は施工の状態を示す。図において、１０は屋根材、１１はアスファルト防水紙、１２は野地板、１３は垂木、１４は桁、１５は天井根太である。本考案の部材Ａは、野地板を貼る前に、隣り合う垂木１３の間に上から落し込んで、その両側縁３、４を垂木１３の上面で支持させる。１６は本考案の部材Ａの下に設けた断熱材である。なお、部材Ａの透湿孔６は図６において、また、金属箔、蒸着金属膜又は塗料膜５は図７において、それぞれ図示を省略する。
【００１３】
軒下の通気孔から入った空気は、部材Ａのスリーブ１、または２１、２２、２３の中を通って棟換気口１７から外部へ流出し、屋根の熱、野地板が放出する湿気、室内からの湿気を排出する。同時に、太陽からの輻射熱は、屋根材、防水紙、野地板を経由して、部材Ａの上面の熱線反射面で遮熱される。金属箔、金属蒸着膜または塗料膜５に設けた透湿孔６は、野地板が放出する湿気をスリーブの貫通通気路に導き、空気の貫流によって屋外に放出するのに役立つ。
【００１４】
なお、本考案の部材は、住宅の屋根面に限らず、他の場所、例えば天井面、外壁面に使用することもできる。また、住宅以外の建築物にも使用できる。
【図面の簡単な説明】
【００１５】
【図１】本考案の一実施例の平面図。
【図２】図１の正面図。
【図３】図１の右側面図。
【図４】本考案の他の実施例の正面図。
【図５】本考案のさらに他の実施例の正面図。
【図６】本考案の施工状態を示す概略図。
【図７】本考案の作用状態を示す概略図。
【符号の説明】
【００１６】
Ａ    断熱部材  
１、２１、２２、２３    スリ−ブ  
２    熱線反射面支持板  
３、４    支持側縁      
５    金属箔、蒸着金属膜または金属粉を含む塗料膜    
６    透湿孔  
７    補強板
１０  屋根材
１１  防水紙
１２  野地板
１３  垂木  
１４  桁
１５  天井根太
１６  断熱材
１７  棟換気口
【図１】
0003117730.tif 000003
【図２】
0003117730.tif 000004
【図３】
0003117730.tif 000005
【図４】
0003117730.tif 000006
【図５】
0003117730.tif 000007
【図６】
0003117730.tif 000008
【図７】
0003117730.tif 000009